(57)【要約】      （修正有）【課題】余人を介せず自分の背中のマッサージが出来る、携帯指圧具の提供。【解決手段】弾力性を有し可撓性のある長方形の布袋１へ、中央の値を１とし左右外側を２の比率で長手方向へ並行に８分目までを３つの領域に仕切りで分割、中央の小袋５へ永久磁石１１を装填したクッション材９を挿入し、左右外側の小袋４へ球体１３を回転自在にそれぞれ複数収納し、布袋１の仕切り残しの幅方向へ、開閉自在の開閉具８を備えた開口部６を設け、開口部側へ吊りベルト１５と吊り金具１７を有した携帯指圧具である。【選択図】図２
2006181341.tif 000002
【特許請求の範囲】
【請求項１】
弾力性を有し可撓性のある長方形の布袋であって、中央部の巾寸法の値を１とし、左右外側部の巾寸法を２の比率で、長手方向へ並行に３つの領域に仕切りで分割された小袋を有し、中央の小袋へ永久磁石を複数装填したクッション材を挿入し、左右外側の小袋へ球体を回転自在にそれぞれ複数収納した、携帯指圧具。
【請求項２】
前記球体は、木材又は樹脂又は硬質ゴムで成形された略真球からなる球体であり、その球体の直径を２５ｍｍ〜４５ｍｍとした、請求項１項に記載の携帯指圧具。
【請求項３】
前期の球体へ内径３ｍｍ〜８ｍｍの貫通しない穴を設け、前記穴の中へ芳香剤を注入した、請求項１又は2項に記載の携帯指圧具。
【請求項４】
前記長方形の布袋の短手方向の端部へ、開閉自在の開閉具を備えた開口部を設け、開口部側へ吊りベルトと吊り金具を有し、その開口部と反対側へ指圧具の延長を可能とする吊り掛け用のボタンを備えた、請求項１〜３項のいずれか１項の記載の携帯指圧具。
【発明の詳細な説明】
【技術分野】
【０００１】
本発明は、人体へ指圧マッサージを施す、携帯指圧具である。
【背景技術】
【０００２】
従来、人体の各部位のマッサージをするための装置や治具には多くの種類が開発されている。なかでも特許文献１によると球体を布袋に収納し、足や所望とする身体の部位に押し当てて、指圧の効果を得ようとする指圧具がある。
又、特許文献２においては可とう性の布袋に多面体球を収容して足の裏のマッサージをなす指圧具もある。或いは、特許文献３では2つの球体を台板に配置し、ゴムベルトと紐で車の座席へ取り付けて、人体の背中のマッサージをする指圧具がある。
【特許文献１】特開平８−８０３３５号公報
【特許文献２】特開２０００−２０１９９８号公報
【特許文献３】特開平７−２９９１１５号公報
【発明の開示】
【発明が解決しようとする課題】
【０００３】
前記特許文献１の指圧具にあっては、２０ｍｍ前後の真球もしくはこれに近い外形の球体を、薄肉で可撓性のある材料からなる袋体へ、多数のポケットを形成し、かつ各筒状ポケット内に球体を過度の隙間なく並べて収容された指圧具であるが、仰向きや、座った形で身体の背中のマッサージをすると、背中の骨を圧迫し過刺激を与えて、背骨に刺激痛が発生しマッサージの逆効果が生じる。又この指圧具へは磁気の発生源の磁石がないため、磁気による筋肉組織の血行改善やコリのほぐしが希薄になるとともに、マッサージ時間が別途に必要なため、改めて指圧のみの時間が必要となり、無駄な時間の浪費が嵩む。
【０００４】
前記特許文献２の指圧具にあっては、可撓性素材からなる被覆を有する収容部内へ多面体形状を備えた指圧粒を転動可能に収容、指圧粒の位置及び配列状態が順応するよう、意識的に指圧粒を移動させて指圧がなされる。この場合収容部内に収容された多面体指圧粒が重なり会ったり、可撓性素材の被覆であるが故に角立ち現象が起こる。又座席に座って背中の指圧マッサージをする時は、多面体指圧粒が乱雑な集合体となり、背中の背骨や背筋を圧迫し、違和感が発生して身体の接触体面へ刺激痛は生じる。この指圧具においても磁気の発生源の磁石を有せず希薄な指圧マッサージとなり、無駄な時間の浪費も嵩む。
【０００５】
前記の特許文献３にあっては、可撓性および弾発性を有し、外表面が略球面状の転動体を貫通孔のある枠へ嵌まり込ませ、枠体の貫通孔内で転動体を移動可能な状態で弾発的に保持する保持手段とふくみ、吊り紐やゴムベルトでもって車の座席にとりつけ、人体の背筋へ指圧マッサージをする指圧具であるが、転動体球の寸法が８０ｍｍと大きく、しかも球体が単体で並ぶため指圧の部位が限定される。又、身体の他の部位のマッサージを施すには、吊り紐やゴムベルトの変更を要し、且つ運転使用者が所望とする部位への調節が至難で、部位のツボを限定されるきらいがある。故に部位の変更が頻繁になり時間の浪費が重なる。この指圧具にあっても前記と同じく磁気の発生源の磁石がないために、磁力による筋肉組織の改善が希薄な指圧マッサージとなる。
【０００６】
前記の特許文献１又は特許文献２にあっての最大の課題は、身体の背面の可指圧が立体的には不可能であり、可指圧の時間が改めて必要となることである。特許文献３では、装脱着に於いて所望とする指圧の部位への選択が至難である。前記特許文献３例共通の課題は、磁気発生源の磁石が存在しない事と時間の無駄にある。
【課題を解決するための手段】
【０００７】
この発明は、上記の課題を次の手段によって解決するものとした。
弾力性を有し可撓性のある長方形の布袋へ、中央部の巾寸法の値を１とし、左右外側部の巾寸法を２の比率で長手方向へ並行に８分目までを３つの領域に仕切りで分割、中央の小袋へ永久磁石を複数装填したクッション材を挿入、左右外側の小袋へ球体を回転自在にてそれぞれ複数収納した携帯指圧具。
【０００８】
前記携帯指圧具の中央の小袋へ使用するクッション材には、発泡スチロール、ウレタン樹脂、硬質ゴムがあり、中でも加工において成形が容易である条件と、柔軟性のある素材を選択すれば、発泡スチロールを中央の小袋へのクッション材とすることが好まれる。
【０００９】
前記中央の小袋のクッション材へ装填する永久磁石は、碁石形もしくは平らな円形とし、磁石の円の径は１０ｍｍ〜１５ｍｍ、厚さは２ｍｍ〜５ｍｍとする。この円の径は略１３ｍｍ、厚みは３ｍｍ程度が好ましい形で、クッション材の寸巾に適合する。このクッション材へ装填する永久磁石の数は５個〜１０個とすればよい。
【００１０】
前記永久磁石の磁力は、磁束密度５０ｍＴ〜２００ｍＴ等々、磁力の強さが段階的に示されるが、人体の着用被服の厚みを通す磁力の磁束密度としては、９０ｍＴ〜１００ｍＴの永久磁石を装填すればよい。
【００１１】
前記永久磁石の磁力を保有する磁石の種類には、ＫＳ磁石鋼、フェライト磁石、アルニコ磁石、希土類磁石、白金コバルト磁石、ネオジューム磁石等多種の磁石があるが、本発明の指圧具へ装填する永久磁石は、鋼工医業界の開発が磁性体の合金化へ一層の拍車がかかる状況に鑑み、フェライト磁石を用いることが好ましい。
【００１２】
前記長方形の布袋の左右外側の小袋へは、木材又は樹脂、硬質ゴムで成形された略真円からなる球体を複数にて収納し、その球体の直径を２５ｍｍ〜４５ｍｍとすれば良い。
【００１３】
前記球体の中心部へ、人工的な芳香の癒しを得るために、内径３ｍｍ〜８ｍｍの貫通しない穴を施し芳香剤を注入しても良い。
【００１４】
前記布袋にて長手方向へ３つの領域に仕切りで分割され、仕切り残された端部の短手方向へ、開閉自在の開閉具を備えた開口部を設け、開口部側へ左右１本づつの吊りベルトと、その吊りベルト左右へ１本づつの吊り金具を接続し、布袋へ取り付けて携帯指圧具としても良い。
【００１５】
前記開口部側へ設けた、左右２本の吊りベルトは統一された長さであり、左右の吊り金具も統一された長さとし、丸径の金具が好ましい。
【００１６】
前記布袋の開口部と反対側へ、指圧具の延長を可能とする接続用のボタンを備えても良い。
【００１７】
前記布袋で、３つの領域に仕切りで分割された左右外側の小袋へは、略真円からなる球体を左外側の小袋へ２列並びで７段〜１０段を収納、右外側の小袋へも同じく２列並びにて７段〜１０段を収納すれば、片側の球体数は１４個〜２０個となり、左右合計２８個〜４０個の球体を、回転自在となる様にある程度の空間を残す状態で、小袋の中へ収納すれば良い。
【００１８】
前記球体の直径は２５ｍｍ〜４５ｍｍが良径であり、球体の径が２５ｍｍ以下になると車の座席の柔軟性に可圧力が吸収され、指圧の効果が生じない。反対に球体の径が４５ｍｍ以上に大きくなれば身体の背中のツボ間隔と、球体の大きさのずれによる背筋への変異な押圧で、不快感が発生する。従ってより好ましい球体の寸径は、直径３０ｍｍ〜４０ｍｍである。
【００１９】
前記球体にあっては、栴檀  桧  杉  楠  桐等の香木にて加工した球体が、素材の持っている香りを引き出すことができる。又より芳香を高めるには外気との接触面積を大きく設けるとよい。
【００２０】
前記球体の素材がウレタン樹脂又は硬質ゴムの球体の場合には、一部の球体のみに貫通しない内径３ｍｍ〜８ｍｍの穴を設け、その穴に保水紙もしくは綿を詰め込み芳香剤を注入し、人為的に芳香を発生させる。
【００２１】
前記球体の素材では、弾力性と柔軟性を持ったウレタン樹脂又は硬質ゴムであれば、とくにソフトなタッチで身体をほぐす特性を引き出すことができる。
【００２２】
前記布袋の開口部と反対側へ、指圧具の延長を可能とする為の吊り掛け用のボタンを備えつけ、第2の布袋の吊りベルトと接合すれば、身体の広範囲の指圧ができる。
【００２３】
前記布袋の開口部側に備えられた吊り金具を、車のヘッドレスト接続金具へ吊り掛けると簡単に車の背もたれシートへ装着され、車の運転者が運転を行う間、運転者の背中の指圧が施されるために、改めて指圧マッサージをする無駄な時間が無くなる。
【００２４】
本指圧具は、車の背もたれ座席に添うよう吊り金具を曲げ、座席との摩擦を解消する形状で吊り金具の形を異形に加工を施した。又、装脱着が容易で簡単に取り扱いが出来るよう、スライド式の吊り掛形の特徴を持つ金具とした。
【００２５】
前記指圧具の吊り金具及び吊りベルトの長さを均一に統一して、車の背もたれ座席のヘッドレス接続金具へ吊り掛けるので、縦方向へ垂直に治まり振れ現象を止める。又指圧具自体は左右外側の小袋へ、同じ個数の球体が同じ並びで複数収納されているので、形状的にも重量的にも平均がとれている。
【発明の効果】
【００２６】
本発明の指圧具に施された異形の吊り金具を、車のヘッドレスト接続金具へ接続する事により、手放しの状態で余人を介せずに、人体の背中の背筋の指圧マッサージを可能とした携帯指圧具である。
【００２７】
前記指圧具は、車の運転者が車の運転座席に座った時から背中のマッサージが開始され、運転操作の続くかぎり時間にも制約されず、自己の体調に合わせて指圧マッサージを行うことが出来、身体の背筋のコリをほぐす。
【００２８】
前記指圧具の安定に共なって中央小袋のクッションが人体の背中の中心部に位置して背骨の保護し、装填された永久磁石の磁気により、人体の筋肉組織の血行を改善、緊張を解き筋肉のコリをほぐす。
【００２９】
前記指圧具は、中央小袋のクッション材へ装填された永久磁石の磁気による背筋の血行改善と、左右外側の小袋へ収納された複数の球体の指圧マッサージを、同時に行うことの出来る、携帯指圧具である。
【００３０】
前記指圧具の貫通しない穴へ、利用者の好みの芳香液を選択して注入、芳香が楽しめてセラピー効果の叙情転換を図ることが出来る。
【発明を実施するための最良の形態】
【００３１】
本発明の実施形態は、図１〜８に基づいて説明する。
【００３２】
図１は布袋１の全体図である。布袋１は左右外側縫い糸２よって長方形を形成する。中央部の巾寸法の値を１とし、左右外側部の値を２の比率で布袋１の端部より長手方向へ、並行に仕切り縫い糸３にて３つの領域に分割し、仕切り縫い糸２を略４０ｍｍ余して縫い残し、それぞれに独立した小袋とする。即ち中央の小袋５と左右外側小袋４の収納袋となる。縫い残した端部には開口部６を設け、開口部６へファスナー止め縫い糸７に縫い込まれた開閉自在のファスナー８を有し、開口部６側と反対の方向へ吊り掛け延長用のボタン１８を備えた布袋１とする。
【００３３】
図２は前記した布袋１の中央の小袋５へ、クッション材９に永久磁石１１を複数装填して挿入し、左右外側小袋４へ、穴１４を有した略真球である球体１３を収納し、開口部６側へベルト押さえ１６にて補強した吊りベルト１５を備へ、そのベルト１５へ吊り金具１７を接続して、本発明携帯指圧具である布袋１の全容となる。
【００３４】
前記指圧具布袋１の全容図２の寸法は、長手方向へ３００ｍｍ、短手方向へ略２００ｍｍ、中央の小袋５は寸巾を略４０ｍｍとし、左右外側小袋４の寸巾を８０ｍｍで３つの領域に仕切り縫い糸３で分割すれば、中央の小袋５及び左右外側の小袋４の収納袋となる。開口部６側へ設けられた吊りベルト１５は、巾を略１０ｍｍとし長さを５０ｍｍで統一した。吊り金具１７の丸径を略２ｍｍとし、形状長さを５０ｍｍにて統一した長さとする。吊り金具の素材には、本指圧具の軽量に伴い普通鋼を使用した。
【００３５】
前記永久磁石１１は円径を１３ｍｍ前後、厚さ３ｍｍ前後とし、磁束密度を９０ｍＴ〜１００ｍＴとして、磁石穴１０を有するクッション材９へ、6個の永久磁石１１をボンド１２にて固定する。本携帯指圧具へ使用した永久磁石１１の円の径は１３ｍｍ、厚さ３ｍｍとし磁束密度１００ｍＴの永久磁石１１を使用した。
【００３６】
前記中央の小袋５のクッション材９は、図５に示す様に楔形の変則六角形に加工し、中央の小袋５への挿入を容易にした。
【００３７】
前記中央の小袋５のクッション材９の厚みを、球体１３の径３５ｍｍより小さく２５ｍｍとし、変則六角形の最長の寸巾を３５ｍｍ、長手方向の長さを２６０ｍｍとした。
【００３８】
前記球体１３は、図３で示すように略真円の球体１３であり、直径を３５ｍｍとした。
この球体１３の中心部へ、内径を５ｍｍとし深さを３０ｍｍにて貫通しない穴１４を設け、外気との接触面積を広げた。
【００３９】
前記中央の小袋５へ、6個の永久磁石１１をボンド１２にて固定されたクッション材９を、尖端より挿入する。前記布袋１の仕切り縫い糸３で分割された左右外側の小袋４とのひず皺を修正し、クッション材９を安定させる。
【００４０】
図２に示した携帯指圧具においては、球体１３は左右外側の小袋４へ開口部６より貫通しない穴１４を有した球体１３を、左外側の小袋４へ２列並びで７段収納し、右外側の小袋４へも同じく２列並びにて７段を収納する。左右外側の小袋４へはそれぞれ１４個の球体１３が収納され、左右合計２８個の球体１３となる。この球体１３は回転自在の球体１３として収納し、前記布袋１へ設けた開閉具のファスナー８を閉じる。
【００４１】
吊りベルト１５は吊り掛け長さを統一し、開口部6側の左右へ各１本づつ計2本を設け、ベルト押さえ１６にて吊り強度の補強をする。
【００４２】
吊りベルト１５へ接続する吊り金具１７は、スワンの首に似た形で成形し、吊りベルト１５の接続鉤を備え、スライドして簡単に装脱着ができる形とする。
【００４３】
吊り金具１７は図２に示す様に、吊り金具１７を向かい合わせて吊り掛け、同じ方向へ引っ張る力が働く様にし、図４に示す様に向かい合った形で一方へ曲げて、車の背もたれ座席２０とヘッドレスト接続金具１９の接続部の曲線へ添うように成形し、吊り金具１７の形状の長さを統一した。
【００４４】
図８にて示す通り、吊り金具１７を、車の背もたれ座席２０へ設置されたヘッドレスト接続金具１９へ掛けて、人体の背筋を可指圧できる携帯指圧具となる。
「他の使用例」
【００４５】
就寝時には、吊り金具を外して折り畳み、コの字型に曲げてタオルケットに繰るんで枕にする、これは中央の永久磁石で肩の凝りをほぐし、血行を改善して快眠を促し、安眠枕として利用する。
【００４６】
吊り金具を外した本指圧具を敷布団にあてがい、身体の背中や腰部から足のふくらはぎの指圧マッサージができる。特に冬季にあっては磁気の効果により、足裏のマッサージは指先の保温を得て、快眠を得ることが出来る。
【００４７】
本指圧具の桧材の球体では、ファスナーを開け、桧の球体を取り出し網の袋へ纏めて詰め替え、入浴時に天然の芳香剤として浴槽で活用すれば、疲れた身体に程よいセラピーの癒しを効果を得ることが出来る。又入浴に利用したのち球体を乾燥し、元の布袋に収納すれば、再度指圧マッサージとして主目的の指圧具へ復元ができる。
【図面の簡単な説明】
【００４８】
【図１】本発明の実施例となる布袋の全体図である。
【図２】布袋へ球体及びクッションと永久磁石及び吊り具を備えた透視図である。
【図３】球体の断面図である。
【図４】長手方向Ａ−Ａの断面図である。
【図５】Ｂ−Ｂの断面図である。
【図６】クッション部の平面図である。
【図７】クッション部Ｃ−Ｃの断面図である。
【図８】車のヘッドレスト接続金具への装着図である。
【符号の説明】
【００４９】
１    布袋
２    布袋縫い糸
３    仕切り縫い糸
４    外側小袋
５    中央小袋
６    開口部
７    ファスナー止縫い糸
８    ファスナー
９    クッション
１０    磁石穴
１１    永久磁石
１２    ボンド
１３    球体
１４    穴
１５    吊りベルト
１６    ベルト押さえ
１７    吊り金具
１８    ボタン
１９    ヘッドレスト接続金具
２０    背もたれ座席
【図１】
2006181341.tif 000003
【図２】
2006181341.tif 000004
【図３】
2006181341.tif 000005
【図４】
2006181341.tif 000006
【図５】
2006181341.tif 000007
【図６】
2006181341.tif 000008
【図７】
2006181341.tif 000009
【図８】
2006181341.tif 000010
【手続補正書】
【提出日】平成17年9月21日(2005.9.21)
【手続補正１】
【補正対象書類名】明細書
【補正対象項目名】０００２
【補正方法】変更
【補正の内容】
【０００２】
従来、人体の各部位のマッサージをするための装置や治具には多くの種類が開発されている。なかでも特許文献１によると球体を布袋に収納し、足や所望とする身体の部位に押し当てて、指圧の効果を得ようとする指圧具がある。
又、特許文献２においては可撓性の布袋に多面体球を収容して足の裏のマッサージをなす指圧具もある。或いは、特許文献３では2つの球体を台板に配置し、ゴムベルトと紐で車の座席へ取り付けて、人体の背中のマッサージをする指圧具がある。
【手続補正２】
【補正対象書類名】明細書
【補正対象項目名】０００４
【補正方法】変更
【補正の内容】
【０００４】
前記特許文献２の指圧具にあっては、可撓性素材からなる被覆を有する収容部内へ多面体形状を備えた指圧粒を転動可能に収容、指圧粒の位置及び配列状態が順応するよう、意識的に指圧粒を移動させて指圧がなされる。この場合収容部内に収容された多面体指圧粒が重なり会ったり、可撓性素材の被覆であるが故に角立ち現象が起こる。又座席に座って背中の指圧マッサージをする時は、多面体指圧粒が乱雑な集合体となり、背中の背骨や背筋を圧迫し、違和感が発生して身体の接触体面へ刺激痛が生じる。この指圧具においても磁気の発生源の磁石を有せず希薄な指圧マッサージとなり、無駄な時間の浪費も嵩む。
【手続補正３】
【補正対象書類名】明細書
【補正対象項目名】０００５
【補正方法】変更
【補正の内容】
【０００５】
前記の特許文献３にあっては、可撓性および弾発性を有し、外表面が略球面状の転動体を貫通孔のある枠へ嵌まり込ませ、枠体の貫通孔内で転動体を移動可能な状態で弾発的に保持する保持手段とふくみ、吊り紐やゴムベルトでもって車の座席にとりつけ、人体の背筋へ指圧マッサージをする指圧具であるが、転動体球の寸法が８０ｍｍと大きく、しかも球体が単体で並ぶため指圧の部位が限定される。又、身体の他の部位のマッサージを施すには、吊り紐やゴムベルトの変更を要し、且つ運転使用者が所望とする部位への調節が至難で、部位のツボを限定されるきらいがある。故に部位の変更が頻繁になり時間の浪費が重なる。この指圧具にあっても前記と同じく磁気の発生源の磁石がないために、磁気による筋肉組織の改善が希薄な指圧マッサージとなる。
【手続補正４】
【補正対象書類名】明細書
【補正対象項目名】００２５
【補正方法】変更
【補正の内容】
【００２５】
前記指圧具の吊り金具及び吊りベルトの長さを均一に統一して、車の背もたれ座席のヘッドレスト接続金具へ吊り掛けるので、縦方向へ垂直に治まり振れ現象を止める。又指圧具自体は左右外側の小袋へ、同じ個数の球体が同じ並びで複数収納されているので、形状的にも重量的にも平均がとれている。
【手続補正５】
【補正対象書類名】明細書
【補正対象項目名】００３０
【補正方法】変更
【補正の内容】
【００３０】
前記指圧具の貫通しない穴へ、利用者の好みの芳香剤を選択して注入、芳香が楽しめてセラピー効果の叙情転換を図ることが出来る。
【手続補正６】
【補正対象書類名】明細書
【補正対象項目名】００３２
【補正方法】変更
【補正の内容】
【００３２】
図１は布袋１の全体図である。布袋１は左右外側縫い糸２よって長方形を形成する。中央部の巾寸法の値を１とし、左右外側部の値を２の比率で布袋１の端部より長手方向へ、並行に仕切り縫い糸３にて３つの領域に分割し、仕切り縫い糸３を略４０ｍｍ余して縫い残し、それぞれに独立した小袋とする。即ち中央の小袋５と左右外側小袋４の収納袋となる。縫い残した端部には開口部６を設け、開口部６へファスナー止め縫い糸７に縫い込まれた開閉自在のファスナー８を有し、開口部６側と反対の方向へ吊り掛け延長用のボタン１８を備えた布袋１とする。
【手続補正７】
【補正対象書類名】明細書
【補正対象項目名】００３４
【補正方法】変更
【補正の内容】
【００３４】
前記指圧具布袋１の全容図２の寸法は、長手方向へ３００ｍｍ、短手方向へ略２００ｍｍ、中央の小袋５は寸巾を略４０ｍｍとし、左右外側小袋４の寸巾を８０ｍｍで３つの領域に仕切り縫い糸３で分割すれば、中央の小袋５及び左右外側の小袋４の収納袋となる。開口部６側へ設けられた吊りベルト１５は、巾を略１０ｍｍとし長さを５０ｍｍで統一した。吊り金具１７の丸径を略２ｍｍとし、形状長さを５０ｍｍにて統一した長さとする。吊り金具１７の素材には、本指圧具の軽量に伴い普通鋼を使用した。
【手続補正８】
【補正対象書類名】明細書
【補正対象項目名】００３６
【補正方法】変更
【補正の内容】
【００３６】
前記中央の小袋５のクッション材９は、図５に示す様に変則六角形の楔形に加工し、中央の小袋５への挿入を容易にした。
【手続補正９】
【補正対象書類名】明細書
【補正対象項目名】００４８
【補正方法】変更
【補正の内容】
【００４８】
【図１】本発明の実施例となる布袋の全体図である。
【図２】布袋へ球体及びクッションと永久磁石及び吊り具を備えた透視図である。
【図３】球体の断面図である。
【図４】長手方向Ａ−Ａの断面図である。
【図５】短手方向Ｂ−Ｂの断面図である。
【図６】クッション部の平面図である。
【図７】クッション部Ｃ−Ｃの断面図である。
【図８】車のヘッドレスト接続金具への装着図である。
【手続補正１１】
【補正対象書類名】図面
【補正対象項目名】図５
【補正方法】変更
【補正の内容】
【図５】
2006181341.tif 000011